【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
遊技の制御を行う主制御手段と、前記主制御手段により制御される遊技についてその演出のための演出画像情報を表示する第１表示ユニットと、前記主制御手段の指示に基づいて前記第１表示ユニットにおける演出画像情報の表示を制御する表示制御手段とを備えた遊技機において、
前記主制御手段を識別するための識別情報を記憶する識別情報記憶手段と、
前記第１表示ユニットとは別で設けられ、前記表示制御手段の制御に依らず前記主制御手段による直接的な制御により識別情報が表示される第２表示ユニットとを備えており、
前記主制御手段は、前記識別情報記憶手段に記憶される識別情報を、前記第２表示ユニットに表示するものであることを特徴とする遊技機。
【請求項２】
前記主制御手段および表示制御手段に対して駆動電圧を供給する電源手段を備え、
前記主制御手段は、前記電源手段から駆動電圧の供給が開始されると前記識別情報記憶手段に記憶される識別情報を読み出し、その読み出した識別情報を前記第２表示ユニットに表示するものであることを特徴とする請求項１記載の遊技機。
【請求項３】
前記主制御手段は、前記電源手段から駆動電圧の供給が開始されると前記識別情報記憶手段に記憶される識別情報を前記表示制御手段に出力する識別情報出力手段を備え、
前記表示制御手段は、その識別情報出力手段により出力された識別情報に基づく識別画像情報を前記第１表示ユニットに表示する識別情報表示手段を備えていることを特徴とする請求項２記載の遊技機。
【請求項４】
前記表示制御手段は、
前記第１表示ユニットに表示する演出画像情報に対応する情報を予め記憶する書き換え不能な第１画像記憶手段と、
前記第１表示ユニットに表示する演出画像情報を記憶する書き換え可能な第２画像記憶手段と、
前記第１画像記憶手段から情報を読み出すと共に読み出した情報に基づいて前記第２画像記憶手段に演出画像情報を書き込む画像情報書込手段とを備え、
前記画像情報書込手段は、前記電源手段により駆動電圧の供給が開始されると、前記第１画像記憶手段から読み出した情報に基づいて演出画像情報を前記第２画像記憶手段に書き込むものであり、
前記主制御手段は、前記画像情報書込手段による演出画像情報の前記第２画像記憶手段への書込終了前に、前記識別情報記憶手段に記憶される識別情報を前記第２表示ユニットに表示するものであることを特徴とする請求項２記載の遊技機。
【手続補正２】
【補正対象書類名】明細書
【補正対象項目名】０００９
【補正方法】変更
【補正の内容】
【０００９】
この目的を達成するために請求項１記載の遊技機は、遊技の制御を行う主制御手段と、前記主制御手段により制御される遊技についてその演出のための演出画像情報を表示する第１表示ユニットと、前記主制御手段の指示に基づいて前記第１表示ユニットにおける演出画像情報の表示を制御する表示制御手段とを備え、更に、前記主制御手段を識別するための識別情報を記憶する識別情報記憶手段と、前記第１表示ユニットとは別で設けられ、前記表示制御手段の制御に依らず前記主制御手段による直接的な制御により識別情報が表示される第２表示ユニットとを備えており、前記主制御手段は、前記識別情報記憶手段に記憶される識別情報を、前記第２表示ユニットに表示するものである。
請求項２記載の遊技機は、請求項１記載の遊技機において、前記主制御手段および表示制御手段に対して駆動電圧を供給する電源手段を備え、前記主制御手段は、前記電源手段から駆動電圧の供給が開始されると前記識別情報記憶手段に記憶される識別情報を読み出し、その読み出した識別情報を前記第２表示ユニットに表示するものである。
請求項３記載の遊技機は、請求項２記載の遊技機において、前記主制御手段は、前記電源手段から駆動電圧の供給が開始されると前記識別情報記憶手段に記憶される識別情報を前記表示制御手段に出力する識別情報出力手段を備え、前記表示制御手段は、その識別情報出力手段により出力された識別情報に基づく識別画像情報を前記第１表示ユニットに表示する識別情報表示手段を備えている。
なお、識別情報出力手段としては、例えば、電源が投入されると機種コード（主制御装置の識別情報）を音声ランプ制御装置１１３に出力する主制御装置１１０に設けられた出力手段と、主制御装置１１０から受信した機種コード（主制御装置の識別情報）を表示制御装置１１４に出力するように構成した音声ランプ制御装置１１３とが該当する。
請求項４記載の遊技機は、請求項２記載の遊技機において、前記表示制御手段は、前記第１表示ユニットに表示する演出画像情報に対応する情報を予め記憶する書き換え不能な第１画像記憶手段と、前記第１表示ユニットに表示する演出画像情報を記憶する書き換え可能な第２画像記憶手段と、前記第１画像記憶手段から情報を読み出すと共に読み出した情報に基づいて前記第２画像記憶手段に演出画像情報を書き込む画像情報書込手段とを備え、前記画像情報書込手段は、前記電源手段により駆動電圧の供給が開始されると、前記第１画像記憶手段から読み出した情報に基づいて演出画像情報を前記第２画像記憶手段に書き込むものであり、前記主制御手段は、前記画像情報書込手段による演出画像情報の前記第２画像記憶手段への書込終了前に、前記識別情報記憶手段に記憶される識別情報を前記第２表示ユニットに表示するものである。
【手続補正３】
【補正対象書類名】明細書
【補正対象項目名】００１０
【補正方法】変更
【補正の内容】
【００１０】
請求項１記載の遊技機によれば、表示制御手段により制御される第１表示ユニットとは別で設けられ、表示制御手段の制御に依らず主制御手段による直接的な制御により表示を実行する第２表示ユニットに、主制御手段は、識別情報記憶手段に記憶される識別情報を表示する。よって、主制御手段による直接的な制御により主制御手段の識別情報を表示することができ、該識別情報の表示を表示制御手段により第１表示ユニットに表示させる場合に比べて、その表示処理を簡便にすることができるという効果がある。つまり、第１表示ユニットに主制御手段の識別情報を表示するためには、まず、主制御手段から表示制御手段にその識別情報を出力し、更に、表示制御手段から第１表示ユニットに出力しなくてはならないが、主制御手段による直接的な制御によってその識別情報を表示する場合は、表示制御手段を媒介させるために必要となる処理を省略できるので、第１表示ユニットに該識別情報を表示する場合に比べて、表示の処理を簡便にすることができるのである。これによれば、主制御手段の識別情報を表示するために必要な処理の全体量を削減できるので、識別情報の表示を迅速に実行することができるという効果がある。更に、表示制御手段の媒介を不要とできるので、表示制御手段の動作状態に作用されることなく、識別情報を表示することができるという効果がある。このため、例えば、主制御手段の識別情報を表示させることによって遊技機の判別検査（機種との整合）を行う場合などにおいては、迅速に判別結果を表示することができ、効率的に検査を行うことができるという効果がある。
請求項２記載の遊技機によれば、請求項１記載の遊技機の奏する効果に加え、電源手段から駆動電圧の供給が開始されると、主制御手段は、識別情報記憶手段に記憶される識別情報を読み出して第２表示ユニットに表示するので、電源投入を契機として、直ちに主制御手段の識別情報（主制御手段を識別するための識別情報）を第２表示ユニットに表示することができる。ここで、一般に、表示制御手段においては、第１表示ユニットにおける表示を行うために、電源手段から駆動電圧が供給されると、表示する画像情報に対応して書き換え不能に記憶されている多くの情報を、第１表示ユニットに表示するための記憶手段に書き込むという処理が実行される。この処理は、時間のかかる処理であるが、表示制御手段で実行される処理であるので、主制御手段においては不要の処理である。従って、主制御手段は、電源手段から駆動電圧の供給が開始されると、直ちに、主制御手段の識別情報を第２表示ユニットに表示することができるのである。このため、例えば、主制御手段の識別情報を表示させることによって、主制御手段が、製造する機種に対応した正しい枠に組み付けられているかや、表示制御手段とマッチングしているかを判別する判別検査を行う場合などにおいて、電源投入すれば直ちにその主制御手段の識別情報を表示することができるので、検査を迅速に行うことができるという効果がある。
請求項３記載の遊技機によれば、請求項２記載の遊技機の奏する効果に加え、電源手段から駆動電圧の供給が開始されると識別情報記憶手段に記憶される識別情報が、識別情報出力手段により、主制御手段から表示制御手段に出力される。表示制御手段においては、識別情報表示手段により、識別情報出力手段によって出力された識別情報に基づく識別画像情報が第１表示ユニットに表示される。よって、遊技機の使用者は、主制御手段の識別情報（主制御手段を識別するための識別情報）を、第２表示ユニットのみならず、第１表示ユニットにおける表示によっても確認することができるという効果がある。
また、第１表示ユニットは、遊技の演出のための演出画像情報を表示するものであり、一般に比較的大きな表示領域を有する構成とされている。一方、第２表示ユニットは、主制御手段の識別情報を表示できる大きさを有していればよく、第１表示ユニットほど大きな表示領域は不要である。このため、表示領域が小さく形成された第２表示ユニットにおいては、場合によっては、その表示の視認性が不十分となる。しかし、請求項３記載の遊技機によれば、主制御手段の識別情報を、第２表示ユニットのみならず、第１表示ユニットにも表示することができるので、第２表示ユニットにおける表示の視認性の不十分さを補うことができるという効果がある。
また、例えば、出荷時において、主制御手段が、製造する機種に対応した正しい枠に組み付けられているかや、表示制御手段とマッチングしているかを判別する判別検査を行うときなどにおいて、検査者（使用者）によっては、第２表示ユニットにおける表示以上に視認性の良好な状態で、主制御手段の識別情報の表示を望む場合がある。このような場合でも、請求項３記載の遊技機によれば、第２表示ユニットのみならず、第１表示ユニットにも主制御手段の識別情報を表示することができるので、かかる要求に対応することができ、検査者に対して、第２表示ユニットにおける表示以上に視認性の良好な状態で、第１表示ユニットに表示された主制御手段の識別情報を確認させることができるという効果がある。
請求項４記載の遊技機によれば、請求項２記載の遊技機の奏する効果に加え、表示制御手段においては、電源手段により駆動電圧の供給が開始されると、第１画像記憶手段に予め書き換え不能に記憶された演出画像情報に対応する情報が、画像情報書込手段によって読み出されると共に、その読み出された情報に基づいて、第２画像記憶手段に演出画像情報が書き込まれる。主制御手段においては、画像情報書込手段による演出画像情報の第２画像記憶手段への書込終了前に、識別情報記憶手段に記憶される識別情報の第２表示ユニットへの表示が実行される。ここで、近年においては、演出内容が高度化され、また、第１表示ユニットの表示領域が大規模化される傾向にあるため、第１画像記憶手段からの情報の読み出しと、第２画像記憶手段へ演出画像情報の書込には時間がかかってしまう。しかし、請求項４記載の遊技機によれば、その書込終了前に、主制御手段によって、主制御手段の識別情報を第２表示ユニットに表示することができるので、表示制御手段の制御によって第１表示ユニットに識別情報を表示する場合よりも、迅速に識別情報を表示することができるという効果がある。
【手続補正４】
【補正対象書類名】明細書
【補正対象項目名】０３１０
【補正方法】変更
【補正の内容】
【０３１０】
１０              パチンコ機（遊技機）
３７              第１図柄表示装置（第２表示ユニット）
８１              第３図柄表示装置（第１表示ユニット）
１１０            主制御装置（主制御手段）
１１４            表示制御装置（表示制御手段）
１１５            電源装置（電源手段）
２０２ａ          識別コードメモリ（識別情報記憶手段）
２３４            ビデオＲＡＭ（第２画像記憶手段）
２３５            キャラクタＲＯＭ（第１画像記憶手段）
Ｓ１２０６〜Ｓ１２０８      表示制御装置のメイン処理（画像情報書込手段）